(57)【要約】【課題】公衆浴場や一般家庭の浴室で使用されるシャワーヘッド掛けにおいて、シャワーの使い勝手を改善し、湯水の無駄遣いをなくす。【解決手段】浴室の壁面４に固着しうる本体２に、シャワーヘッドを保持しうるシャワーヘッド受け部材１２を回動自在に設ける。シャワーヘッド受け部材１２にハンドル１６を斜め下向きに取り付ける。ハンドル１６を操作してシャワーヘッド受け部材１２を回せば、シャワーヘッドをシャワーヘッド受け部材１２に引っ掛けたまま上下左右方向に自在に動かすことができる。その結果、シャワーヘッドから任意の方向に湯水を吐出させることができる。両手を使って頭や体を洗えるため、シャワーの使用時間が最小限で済む。【選択図】　　　図２
2004027695.tif 000002
【特許請求の範囲】
【請求項１】
浴室の壁面（４）に固着しうる本体（２）を有し、
シャワーヘッド（１７）を保持しうるシャワーヘッド受け部材（１２）を前記本体に回動自在に設けたことを特徴とするシャワーヘッド掛け。
【請求項２】
シャワーヘッド受け部材（１２）にハンドル（１６）を取り付けたことを特徴とする請求項１に記載のシャワーヘッド掛け。
【請求項３】
パッキン（１３）をシャワーヘッド受け部材（１２）の内部保持空間に突設したことを特徴とする請求項１または請求項２に記載のシャワーヘッド掛け。
【発明の詳細な説明】
【０００１】
【発明の属する技術分野】
本発明は、公衆浴場や一般家庭の浴室で使用するに好適なシャワーヘッド掛けに関するものである。
【０００２】
【従来の技術】
従来この種のシャワーヘッド掛けとしては、例えば特開２００１−１１９１４号公報に開示されているように、浴室の壁面にネジ止めされる本体にシャワーヘッド受け部を一体に形成したものが多用されていた。そして、シャワーを使うときは、このシャワーヘッド掛けのシャワーヘッド受け部にシャワーヘッドを引っ掛けた状態で湯水を吐出させたり、片手でシャワーヘッドを握ったまま湯水を吐出させたりしていた。
【０００３】
【発明が解決しようとする課題】
しかし、これでは次のような不都合があった。
【０００４】
すなわち、シャワーヘッドをシャワーヘッド掛けに引っ掛けて使う場合は、シャワーヘッドから吐出する湯水の方向が浴室の壁面に対して一定であるため、シャワーの使い勝手が必ずしもよくない。
【０００５】
一方、シャワーヘッドを片手で握ったまま使う場合は、頭や体を洗うのに片手しか使えないので、シャワーの使用時間が長引いて湯水の無駄遣いにつながる。
【０００６】
本発明は、このような事情に鑑み、シャワーの使い勝手が良好で湯水の無駄遣いが生じないシャワーヘッド掛けを提供することを目的とする。
【０００７】
【課題を解決するための手段】
まず、本発明のうち請求項１に係る発明は、浴室の壁面（４）に固着しうる本体（２）を有し、シャワーヘッド（１７）を保持しうるシャワーヘッド受け部材（１２）を前記本体に回動自在に設けて構成される。
【０００８】
また、本発明のうち請求項２に係る発明は、上記シャワーヘッド受け部材（１２）にハンドル（１６）を取り付けて構成される。
【０００９】
これらの構成を採用することにより、シャワーヘッドをシャワーヘッド受け部材に引っ掛けたまま上下左右方向に自在に動かすことが可能となるように作用する。
【００１０】
さらに、本発明のうち請求項３に係る発明は、パッキン（１３）を上記シャワーヘッド受け部材（１２）の内部保持空間に突設して構成される。かかる構成により、シャワー使用中にシャワーヘッドがシャワーヘッド受け部材から抜け落ちにくくなるように作用する。
【００１１】
なお、括弧内の符号は図面において対応する要素を表す便宜的なものであり、したがって、本発明は図面上の記載に限定拘束されるものではない。このことは「特許請求の範囲」の欄についても同様である。
【００１２】
【発明の実施の形態】
以下、本発明の実施形態を図面に基づいて説明する。
図１は本発明に係るシャワーヘッド掛けの第１の実施形態を示す斜視図、
図２は図１に示すシャワーヘッド掛けの側面図、
図３は図１に示すシャワーヘッド掛けの分解側面図、
図４は図１に示すシャワーヘッド掛けのシャワーヘッド受け部材の詳細図、
図５は図１に示すシャワーヘッド掛けの第１の使用状態を示す斜視図、
図６は図１に示すシャワーヘッド掛けの第２の使用状態を示す斜視図、
図７は図１に示すシャワーヘッド掛けの第３の使用状態を示す斜視図、
図８は本発明に係るシャワーヘッド掛けの第２の実施形態を示す斜視図、
図９は本発明に係るシャワーヘッド掛けの第３の実施形態を示す斜視図である。
【００１３】
このシャワーヘッド掛け１は、図１〜３に示すように、円筒状の本体２を有しており、本体２の下端には、浴室の壁面４に当接してネジ止めされる円盤状の壁面固定部２ａが一体に形成されている。また、本体２の上端には段差円筒部２ｂが一体に形成されており、段差円筒部２ｂにはスプリング３および座金５を介してＯリング６が載置されている。Ｏリング６には球状の連結具７が全角度方向に回動自在に載置されており、連結具７には雄ねじ円筒部７ａが一体に形成されている。さらに、本体２の段差円筒部２ｂの周囲には雄ねじ部２ｃが一体に形成されており、雄ねじ部２ｃには、ナット９が二重のリング状のパッキン１０、１０を介して連結具７の脱落を防止するように螺合しているとともに、ロックナット１１がナット９の緩みを阻止するように螺合している。
【００１４】
また、連結具７の雄ねじ円筒部７ａにはシャワーヘッド受け部材１２が螺合しており、連結具７の雄ねじ円筒部７ａとシャワーヘッド受け部材１２との間には円筒状の合成ゴム製のパッキン１３が、図２および図４に示すように、その一部をシャワーヘッド受け部材１２の内部保持空間に突出させた形で埋め込まれている。シャワーヘッド受け部材１２の側面にはシャフト１５が横向きに凸設されており、シャフト１５には雌ねじ部１５ａが一体に形成されている。雌ねじ部１５ａにはハンドル１６が螺合して斜め下向きに延伸しており、ハンドル１６の先端には、しゃもじ状の取手部１６ａが取り付けられている。
【００１５】
シャワーヘッド掛け１は以上のような構成を有するので、このシャワーヘッド掛け１を用いてシャワーを使う際には、図２に示すように、本体２をその壁面固定部２ａを介して浴室の壁面４にネジ止めして固着した後、図５に示すように、シャワーヘッド受け部材１２にシャワーヘッド１７を引っ掛け、シャワーヘッド１７から湯水を吐出させて頭や体を洗う。そして、図５〜７に示すように、ハンドル１６を操作してシャワーヘッド受け部材１２を上下左右方向に動かせば、それに伴ってシャワーヘッド１７が同方向へ首を振るので、シャワーヘッド１７から任意の方向に湯水を吐出させることができる。したがって、シャワーの使い勝手を改善することができると同時に、両手を使って頭や体を洗えるため、シャワーの使用時間を最小限として湯水の無駄遣いを回避することが可能となる。
【００１６】
このとき、連結具７は常時スプリング３の弾性力によってシャワーヘッド受け部材１２側へ押圧されており、Ｏリング６およびパッキン１０によって所定の挟持力で挟み込まれた状態を維持する。その結果、連結具７の挟持力が弱すぎて、シャワーヘッド１７を引っ掛けただけでその重量によってシャワーヘッド受け部材１２が下向きに傾いてしまう不具合は発生せず、逆に連結具７の挟持力が強すぎるため、シャワーヘッド受け部材１２を回転させるのに多大な腕力を要するという不便も生じない。
【００１７】
また、こうしてシャワーヘッド掛け１を長期間にわたって使っていくと、Ｏリング６およびパッキン１０が連結具７との摩擦によって徐々にすり減るため、連結具７の挟持力が低下してシャワーヘッド受け部材１２の保持状態が悪化する恐れがあるが、使用者が適時ナット９を増し締めすることにより、連結具７の保持力を一定に維持してシャワーヘッド受け部材１２の保持状態を常に良好に保つことができる。
【００１８】
さらに、シャワーヘッド１７はパッキン１３に高い摩擦力で当接した状態でシャワーヘッド受け部材１２の内部保持空間に収まっているので、ハンドル１６を頻繁に操作してもシャワーヘッド１７がシャワーヘッド受け部材１２から抜け落ちる心配はなく、シャワー使用時の安全性に優れる。
【００１９】
なお、上述の実施形態においては、しゃもじ状の取手部１６ａがあるハンドル１６を備えたシャワーヘッド掛け１について説明したが、ハンドル１６の形状はこれに限るわけではなく、図８に示すように、円柱状の取手部１６ａがあるハンドル１６を採用してもよい。或いはまた、図９に示すように、ハンドル１６を省略することも可能である。ハンドル１６がない場合は、直接シャワーヘッド１７を片手で握ってシャワーヘッド受け部材１２ごと動かすことにより、シャワーヘッド１７から任意の方向に湯水を吐出させることができる。
【００２０】
また、上述の実施形態では、円盤状の壁面固定部２ａがある本体２を備えたシャワーヘッド掛け１について説明したが、本体２の壁面固定部２ａはこれ以外の形状（例えば、長方形、三角形、楕円形など）を採用しても構わない。
【００２１】
【発明の効果】
以上説明したように、本発明のうち請求項１、２に係る発明によれば、シャワーヘッドをシャワーヘッド受け部材に引っ掛けたまま上下左右方向に自在に動かすことが可能となることから、シャワーの使い勝手が良好で湯水の無駄遣いが生じないシャワーヘッド掛けを提供することができる。
【００２２】
また、本発明のうち請求項３に係る発明によれば、シャワー使用中にシャワーヘッドがシャワーヘッド受け部材から抜け落ちにくくなるので、シャワー使用時の安全性を高めることができる。
【図面の簡単な説明】
【図１】本発明に係るシャワーヘッド掛けの第１の実施形態を示す斜視図である。
【図２】図１に示すシャワーヘッド掛けの側面図である。
【図３】図１に示すシャワーヘッド掛けの分解側面図である。
【図４】図１に示すシャワーヘッド掛けのシャワーヘッド受け部材の詳細図である。
【図５】図１に示すシャワーヘッド掛けの第１の使用状態を示す斜視図である。
【図６】図１に示すシャワーヘッド掛けの第２の使用状態を示す斜視図である。
【図７】図１に示すシャワーヘッド掛けの第３の使用状態を示す斜視図である。
【図８】本発明に係るシャワーヘッド掛けの第２の実施形態を示す斜視図である。
【図９】本発明に係るシャワーヘッド掛けの第３の実施形態を示す斜視図である。
【符号の説明】
１……シャワーヘッド掛け
２……本体
４……壁面
１２……シャワーヘッド受け部材
１３……パッキン
１６……ハンドル
１７……シャワーヘッド
【図１】
2004027695.tif 000003
【図２】
2004027695.tif 000004
【図３】
2004027695.tif 000005
【図４】
2004027695.tif 000006
【図５】
2004027695.tif 000007
【図６】
2004027695.tif 000008
【図７】
2004027695.tif 000009
【図８】
2004027695.tif 000010
【図９】
2004027695.tif 000011